(57)【特許請求の範囲】
【請求項１】
ねじボルトと、ねじ頭部と、当該ねじ頭部に形成された凹み孔部と、を有し、
前記凹み孔部の開口部から離れた部分は、多角形穴構造又はＩ字形状であり、前記凹み孔部の開口部に近い部分には、前記ねじボルトに形成されたねじ山と逆方向のねじ山が形成されており、
さらに、前記凹み孔部の底部分の中心に、前記ねじボルトに沿って引き抜き穴が形成されており、当該引き抜き穴は、先端にスライドピンが回転可能に連結された金属ロッドである引き抜きツールが挿入可能なよう形成されている、
ことを特徴とする半逆ねじ山取り外しねじ。
【請求項２】
ねじボルトと、ねじ頭部と、当該ねじ頭部に形成された凹み孔部と、を有し、
前記凹み孔部の開口部から離れた部分は、多角形穴構造又はＩ字形状であり、前記凹み孔部の開口部に近い部分には、前記ねじボルトに形成されたねじ山と逆方向のねじ山が形成されており、
さらに、前記凹み孔部の底部分の中心に、前記ねじボルトに沿って引き抜き穴が形成されており、当該引き抜き穴の底部に傾斜が形成されている、
ことを特徴とする半逆ねじ山取り外しねじ。
【請求項３】
請求項２に記載の半逆ねじ山取り外しねじであって、
前記引き抜き穴に、先端にスライドピンが回転可能に連結された引き抜きツールが挿入されたときに、前記引き抜き穴の底部に形成された傾斜に沿って前記スライドピンがスライドして当該スライドピンが連結箇所を中心に回転するよう、前記引き抜き穴が形成されている、
ことを特徴とする半逆ねじ山取り外しねじ。
【請求項４】
請求項１乃至３のいずれかに記載の半逆ねじ山取り外しねじであって、
前記多角形穴構造は、六角穴形状である、
ことを特徴とする半逆ねじ山取り外しねじ。
【請求項５】
請求項１乃至３のいずれかに記載の半逆ねじ山取り外しねじであって、
前記多角形穴構造は、正方形である、
ことを特徴とする半逆ねじ山取り外しねじ。
【請求項６】
請求項１乃至５のいずれかに記載の半逆ねじ山取り外しねじであって、
前記凹み孔部の開口部に近い部分に形成されたねじ山は、左ねじ山である、
ことを特徴とする半逆ねじ山取り外しねじ。
【請求項７】
請求項１乃至６のいずれかに記載の半逆ねじ山取り外しねじであって、
前記引き抜き穴の断面形状は、略Ｔ字形状である、
ことを特徴とする半逆ねじ山取り外しねじ。
【発明の詳細な説明】
【技術分野】
【０００１】
本発明は、ねじにかかり、特に半逆ねじ山取り外しねじに関する。
【背景技術】
【０００２】
ねじは、工業、電器、医療、建築等幅広い業界でよく使われる締め具で、ねじ蓋や他の部品を締めることができる。一方で、ねじが取り外されにくい時には、簡単な作業においても大きな問題が生じることとなり、部品を壊してまでねじを取り外されなければならない時がある。
【０００３】
現在よく使われているねじ蓋溝は、Ｉ字状穴、十字穴、六角穴、五点形などがあり、これらのねじが取り外されにくい原因は、主にドライバーがねじ蓋溝で滑ることにある。
【０００４】
ねじ蓋溝でドライバーが滑る原因は、以下のとおりである。
１）ねじを締め付ける時、ねじ蓋溝にすでに磨損がある場合。
２）ねじが長時間放置されたり錆ついたり、さらに他の原因で、ねじを取り外す時の抵抗が一層大きくなり、ねじが滑りやすくなる場合。
３）作業人員の操作ミスにより、ドライバーをねじ軸上で回すことができず、ねじを取り外すために回す際に、ドライバーとねじ蓋溝とで離脱が起こり、ねじ蓋溝が磨損し、滑りやすくなる。ねじが滑り安くなると、ねじを取り外することが難しくなり、かかるねじを引き続き取り外すためには時間と力がかかり、結局取り外すことができないこともある。
【０００５】
このように、ねじ取り外す際の滑り問題は、早急な解決が求められる問題であり、これまでにねじの滑り問題を効果的に解決できる方法はまだない。
【発明の概要】
【発明が解決しようとする課題】
【０００６】
本発明の目的は、ねじを取り外す時に生じる上述した滑りの問題を解決することができる半逆ねじ山取り外しねじを提供することにある。
【課題を解決するための手段】
【０００７】
本発明の目的は、以下の構造によって実現される。
半逆ねじ山取り外しねじであって、ねじボルトと、ねじ頭部と、ねじ頭部に形成された凹み孔部と、を有し、凹み孔部の下段部分は多角形穴構造又はＩ字形状であり、凹み孔部の上段部分には、ねじボルトに形成されたねじ山と逆方向のねじ山が形成されている。
【０００８】
上記多角形穴構造は、望ましくは、六角穴形状、正方形、又は、五点形である。
【０００９】
半逆ねじ山取り外しねじは、望ましくは、ねじ山を有するねじ軸部であるねじボルトを備えている。ねじ軸部のねじ山は、凹み孔部の上段部分のねじ山とは、反対方向あるいは逆方向である。望ましくは、ねじ軸部のねじ山は右ねじ山であり、凹み孔部の上段部分に形成されたねじ山は左ねじ山である。
【００１０】
望ましくは、本発明の半逆ねじ山取り外しねじは、ねじ軸部とねじ頭部とを有し、ねじ頭部には、凹み孔部が形成されている。凹み孔部の下段部分は多角形穴構造又はＩ字形状であり、凹み孔部の上段部分には、ねじ軸部に形成されたねじ山と逆方向のねじ山が形成されている。望ましくは、凹み孔部の上段部分に形成されたねじ山は左ねじ山である。
【００１１】
本発明におけるねじは、凹み孔部の下段部分に対応する一般的なドライバーで締め付けることができる。さらに、本発明のねじの取り外しについて以下に説明されるように、特別なドライバーが用いられる。
【００１２】
特に、ねじを取り外しにくい場合には、凹み孔部の上段部分に形成されたねじ山にねじ込まれる特別なドライバーを用いる。特別なドライバーのねじ込みは、特別なドライバーが凹み孔部の下段部分に挿入された後に、特別なドライバーの回転によって実現される。
【００１３】
本発明におけるねじの特徴及び利用方法は、以下のとおりである。
半逆ねじ山取り外しねじは、ねじ頭部の凹み孔部の下段部分に形成された六角穴形状に一般的な六角ドライバーを嵌合させて回すことで、締め付けることができる。このとき、ねじ軸部（ねじボルト）に形成されたねじ山は右ねじであるとする。なお、ねじ頭部の凹み孔部の下段部分に形成された穴形状が、正方形や五点形さらには他の形状である場合には、それぞれ対応するドライバーを用いてねじを締め付けることができる。
【００１４】
その後、ねじは、ねじ頭部の凹み孔部の上段部分に形成された左ねじ山構造に対応する左ねじ山ドライバーを用いて、当該ドライバーを左ねじ山構造にしっかりと締め付けた後に、引き続き同じ方向にドライバーを回すことで、ねじを取り外すことができる。従って、本発明のねじを取り外す際には、ねじ頭部が滑るか否かは問題とならず、迅速かつ効果的にねじを取り外すことができる。
【図面の簡単な説明】
【００１５】
【図１】本発明におけるねじの断面図である。
【図２】図１の右側面図である。
【図３】実施形態２におけるねじの構造を示す図である。
【図４】実施形態２における引き抜き穴を示す拡大図である。
【図５】実施形態２における引き抜き穴と協働する引き抜きツールの構造を示す図である。
【図６】引き抜きツールが引き抜き穴に挿入されている様子を示す図である。
【図７】引き抜きツールが引き抜き穴に挿入され、変形された様子を示す図である。
【図８】引き抜きツールが引き抜き穴に挿入され、引き抜くときの様子を示す図である。  図において、符号１は、ねじである。符号１．１は、ねじボルトである。符号１．２はねじ頭部である。符号１．４は左ねじ山構造である。符号１．５は引き抜き穴である。符号２は引き抜きツールである。
【発明を実施するための形態】
【００１６】
＜実施形態１＞
図１，２に示すように、半逆ねじ山取り外しねじは、ねじボルト１．１と、ねじ頭部１．２と、ねじ頭部１．２に形成された凹み孔部と、を有する。そして、凹み孔部の下段部分は六角穴構造１．３であり、凹み孔部の上段部分には、ねじボルト１．１に形成されたねじ山と逆方向の左ねじ山１．４が形成されている。なお、凹み孔部の下段部分は、六角穴構造１．３であることに限定されず、多角形穴構造又はＩ字形状であってもよい。
【００１７】
＜実施形態２＞
図３，４，５，６，７，８に示すように、半逆ねじ山取り外しねじは、ねじボルト１．１と、ねじ頭部１．２と、ねじ頭部１．２に形成された凹み孔部と、を有する。そして、凹み孔部の下段部分は六角穴構造１．３であり、凹み孔部の上段部分には、ねじボルト１．１に形成されたねじ山と逆方向の左ねじ山１．４が形成されている。
【００１８】
凹み孔部の底部分の中心には、ねじボルト１．１に沿って引き抜き穴１．５が形成されている。引き抜き穴１．５の断面形状は、ハンマー形状に形成されている。つまり、断面Ｔ字状に形成されている。そして、この引き抜き穴１．５に対応して、引き抜きツール２が協働する。引き抜きツール２は、ロッド本体の先端にスライドピンが回転可能に連結された１本の金属ロッドである。
【００１９】
図６は、引き抜き穴１．５の中に引き抜きツール２を挿入した時の様子を示す図である。ロッド本体とスライドピンとを一直線状にした状態の引き抜きツール２を引き抜き穴１．５に挿入した後に、引き抜きツール２の先端が引き抜き穴１．５の底部に接触すると、底部に形成された傾斜に沿ってスライドピンがスライドして、引き抜きツール２のロッド本体との連結箇所を中心に回転して図７に示すような略Ｔ字の形状になり、最終的には図８の形状になる。これにより、引き抜きツール２の先端が引き抜き穴１．５の内部に引っかかり、引き抜きツール２を引っ張ることで、外部方向への力がねじにかかる。
【００２０】
他の形態では、内接六角形構造ツールや左ねじ回しツールを組み合わせ、一方では、引き抜きツール２でねじに外部方向への力をかけ、他方では、組み合わせた他のツールでねじの回転力を引き起こすことで、より容易にねじを引き抜くことができる。
【００２１】
内接六角形構造ツールや左ねじ回しツールの軸の中心は空洞であり、引き抜きツール２の先端は、かかるツールの空洞部分を通過される。そして、内接六角形構造ツールや左ねじ回しツールの組み合わせで回転力を引き起こすことで、引き抜きツール２によるねじの外部方向への力を拡大する。これにより、ねじは回転され、特別な状態で残ることとなる。
【図１】
0006347810.tif 000002
【図２】
0006347810.tif 000003
【図３】
0006347810.tif 000004
【図４】
0006347810.tif 000005
【図５】
0006347810.tif 000006
【図６】
0006347810.tif 000007
【図７】
0006347810.tif 000008
【図８】
0006347810.tif 000009